(57)【要約】【課題】誤接続やショートによる回路素子の破損を防止する。【解決手段】ソーラー照明システム１のコントローラ５は、充電電流経路６に介在する第１スイッチＰＦＥＴ１と、駆動電流経路７に介在する第２スイッチＰＦＥＴ２と、電池３の電圧上昇に応じて第１スイッチＰＦＥＴ１をＯＦＦにする第１スイッチ制御回路８と、電池３の電圧低下に応じて第２スイッチＰＦＥＴ２をＯＦＦにする第２スイッチ制御回路９と、発電部接続端子Ｔ１、Ｔ２や電池接続端子Ｔ３、Ｔ４における誤接続・ショートの発生時に、スイッチＰＦＥＴ１、２に流れる電流を制限する電流制限回路１３、１４と、誤接続・ショートに伴うスイッチＰＦＥＴ１、２下流の電圧低下を検出するとともに、電圧低下検出に応じてスイッチＰＦＥＴ１、２及び電流制限回路１３、１４をＯＦＦにする電圧低下検出回路１５、１６とを備える。【選択図】図１
2016085555.tif 000002
【特許請求の範囲】
【請求項１】
所定のエネルギーを電気エネルギーに変換する発電部と、
前記発電部の発電で充電される充電式の電池と、
前記電池を電源として駆動される駆動部と、
前記発電部、前記電池及び前記駆動部に接続されるコントローラとを備える充電式発電駆動システムであって、
前記コントローラは、
前記発電部が接続される発電部接続端子から前記電池が接続される電池接続端子に至る充電電流経路と、
前記電池接続端子から前記駆動部が接続される駆動部接続端子に至る駆動電流経路と、
前記充電電流経路及び／又は前記駆動電流経路に介在するスイッチと、
前記スイッチのＯＮ／ＯＦＦを制御するスイッチ制御回路と、
前記発電部接続端子、前記電池接続端子及び／又は前記駆動部接続端子における誤接続・ショートの発生時に、前記スイッチに流れる電流を制限する電流制限回路と、
前記誤接続・ショートに伴う前記スイッチ下流の電圧低下を検出する電圧低下検出回路とを備え、該電圧低下検出回路は、電圧低下検出に応じて前記スイッチ及び前記電流制限回路をＯＦＦにすることを特徴とする充電式発電駆動システム。
【請求項２】
前記コントローラは、
前記充電電流経路に介在する第１スイッチと、
前記駆動電流経路に介在する第２スイッチと、
前記電池の電圧上昇に応じて前記第１スイッチをＯＦＦにすることにより前記電池の過充電を防止する第１スイッチ制御回路と、
前記電池の電圧低下に応じて前記第２スイッチをＯＦＦにすることにより前記電池の過放電を防止する第２スイッチ制御回路と、
前記発電部接続端子及び／又は前記電池接続端子における誤接続・ショートの発生時に、前記第１スイッチに流れる電流を制限する第１電流制限回路と、
前記駆動部接続端子における誤接続・ショートの発生時に、前記第２スイッチに流れる電流を制限する第２電流制限回路と、
前記誤接続・ショートに伴う前記第１スイッチ下流の電圧低下を検出する第１電圧低下検出回路と、
前記誤接続・ショートに伴う前記第２スイッチ下流の電圧低下を検出する第２電圧低下検出回路とを備え、
前記第１電圧低下検出回路は、電圧低下検出に応じて前記第１スイッチ及び前記第１電流制限回路をＯＦＦにし、
前記第２電圧低下検出回路は、電圧低下検出に応じて前記第２スイッチ及び前記第２電流制限回路をＯＦＦにすることを特徴とする請求項１に記載の充電式発電駆動システム。
【請求項３】
前記電圧低下検出回路は、電圧低下検出に応じて前記誤接続・ショートを報知する報知手段を備えることを特徴とする請求項１又は２に記載の充電式発電駆動システム。
【発明の詳細な説明】
【技術分野】
【０００１】
本発明は、ソーラー照明システムなどの充電式発電駆動システムに関する。
【背景技術】
【０００２】
従来より、所定のエネルギーを電気エネルギーに変換する発電部と、発電部の発電で充電される充電式の電池と、電池を電源として駆動される駆動部と、発電部、電池及び駆動部に接続されるコントローラとを備える充電式発電駆動システムが知られている（例えば、特許文献１、２参照）。
【０００３】
ところで、比較的大型の充電式発電駆動システムの場合は、図５に示すように、４つの部分（発電部１０１、電池１０２、駆動部１０３、コントローラ１０４）に分けて製作され、使用される現地にて配線接続が行われる。そして、配線接続は、例えば、以下のように行われる。
１）コントローラ端子Ｔ１←発電部１０１の＋極
２）コントローラ端子Ｔ２←発電部１０１の−極
３）コントローラ端子Ｔ３←電池１０２の＋極
４）コントローラ端子Ｔ４←電池１０２の−極
５）コントローラ端子Ｔ５←駆動部１０３の＋極
６）コントローラ端子Ｔ６←駆動部１０３の−極
【先行技術文献】
【特許文献】
【０００４】
【特許文献１】特許第３６３４４３０号公報
【特許文献２】特開２００１−９２３９１号公報
【発明の概要】
【発明が解決しようとする課題】
【０００５】
しかしながら、図５に示す配線接続を間違えると、正常に動作しないことは勿論のこと、コントローラ１０４内部の回路素子が破損する虞がある。このような誤接続には大別して以下の３種類（Ａ〜Ｃ）がある。また、誤接続ではないが、配慮すべき場合として、各部分のプラス極性端子のＧＮＤへのショート（Ｄ）がある（例えば、線材をケースに挟み込んでしまったなどの組立不良で起こり得る）。
Ａ．各部分の取り違え（例えば、発電部１０１と電池１０２の取り違え）
Ｂ．各部分の取り違え、かつ逆極性接続
Ｃ．逆極性接続
Ｄ．ショート事故
【０００６】
以下、参考例に係る充電式発電駆動システムのコントローラを示すとともに、該コントローラにおいて誤接続やショートが発生した場合について説明する。
【０００７】
図６は、参考例に係る充電式発電駆動システムのコントローラを示すブロック回路図である。
この図に示すコントローラ１０４は、スイッチとしてＰ型ＦＥＴを用いており、発電部１０１としてソーラーパネル、電池１０２として自動車用１２Ｖ鉛バッテリ、駆動部１０３としてＬＥＤ照明器具が接続される。
【０００８】
図６において、ダイオードＤ１、Ｄ２は、発電部１０１の逆極性接続時の保護用であり、通常、電圧降下の小さいショットキーダイオードが使用される。
スイッチＰＦＥＴ１、ＰＦＥＴ２は、Ｐ型ＦＥＴであり、Ｓ（ソース）電位に対してＧ（ゲート）電位が低いと、Ｓ−Ｄ（ドレイン）間がＯＮ、等しいとＳ−Ｄ間がＯＦＦになる。
ダイオードＤ３は、電池１０２の逆極性接続時に、３端子電源１０５、ＦＥＴ＿ＯＮ／ＯＦＦ制御回路１０６、１０７及び全体制御部１０８の破損を保護する。
ＦＥＴ＿ＯＮ／ＯＦＦ制御回路１０６、１０７は、出力レベルが高レベル（＋５Ｖ）であれば、トランジスタＴＲ１、２がＯＮとなり、スイッチＰＦＥＴ１、２をそれぞれＯＮにする。また、出力が低レベル（０Ｖ）であれば、トランジスタＴＲ１、２がＯＦＦとなり、スイッチＰＦＥＴ１、２のＳ−Ｇ間が抵抗Ｒ１又はＲ４で同位となり、スイッチＰＦＥＴ１、２をそれぞれＯＦＦにする。
【０００９】
３端子電源１０５は、定電圧源であり、例えば＋５Ｖを出力し、ＦＥＴ＿ＯＮ／ＯＦＦ制御回路１０６、１０７や全体制御部１０８に供給される。
全体制御部１０８は、通常１チップマイコンで構成され、ソーラー電圧検出部１０９からの信号で日没時点を判断したり、駆動部１０３の駆動時間を制御している。
ヒューズ１１０（５Ａ）は、駆動部１０３の＋極性が−極性（ＧＮＤ）にショートした場合などにスイッチＰＦＥＴ２（例えば、許容電流３０Ａ）の破損を保護するものである。
【００１０】
このように構成された参考例のコントローラ１０４は、図６に示す動作ａ〜ｆを実現する。すなわち、過充電（１４．７Ｖ）を検出し、スイッチＰＦＥＴ１をＯＦＦにする過充電防止動作ａ、過放電（１１．２Ｖ）を検出し、スイッチＰＦＥＴ２をＯＦＦにする過放電防止動作ｂ、ソーラー電圧測定時にスイッチＰＦＥＴ１をＯＦＦにするソーラー電圧測定準備動作ｃ、発電部１０１（ソーラーパネル）の正常電圧を確認してからスイッチＰＦＥＴ２をＯＮにする初期放電防止動作ｄ（組み立てが終了するまで放電を行わない）、ソーラー電圧の例えば１／１０をマイコンのＡ／Ｄコンバータで測るソーラー電圧測定動作ｅ、時間が来たら駆動部１０３（ＬＥＤ照明器具）の点灯を止めたり、ＰＷＭ（パルス幅変調）制御でＬＥＤの明るさを変える駆動部制御動作ｆなどを行う。
【００１１】
しかしながら、このように構成された参考例のコントローラ１０４では、駆動部接続端子Ｔ５、Ｔ６において＋極と−極がショートする事故があった場合、１００Ａ近い電流が流れてヒューズ１１０（５Ａ）が溶断するため、復帰する際には、ショートの原因を除去した後、ヒューズ１１０の交換作業が要求される。
【００１２】
また、上記のショート事故があった場合、ヒューズ１１０の完全溶断までには一定の時間が必要であり、その時間が経過するまでの間は、スイッチＰＦＥＴ２のＳ−Ｄ間に１００Ａ近い電流が流れるので、その許容値が３０Ａであれば、瞬間的にオーバーすることになり、スイッチＰＦＥＴ２を破損又は劣化させることになる。
【００１３】
また、電池１０２の接続端子Ｔ３、Ｔ４が逆接続となる事故が発生した場合は、発電部１０１（ソーラーパネル）からの電流がダイオードＤ１、スイッチＰＦＥＴ１のＳ−Ｄ間を経由して電池１０２の−極に流れ込むので、発電部１０１の出力電流がダイオードＤ１（例えば、許容電流２０Ａ）やスイッチＰＦＥＴ１（例えば、許容電流３０Ａ）の各許容電流より大きいと、それらを破損する可能性がある。したがって、復帰する際には、原因である逆接続を改めた後、破損部品の交換作業が要求される。
【課題を解決するための手段】
【００１４】
本発明は、上記の如き実情に鑑みこれらの課題を解決することを目的として創作されたものであって、所定のエネルギーを電気エネルギーに変換する発電部と、前記発電部の発電で充電される充電式の電池と、前記電池を電源として駆動される駆動部と、前記発電部、前記電池及び前記駆動部に接続されるコントローラとを備える充電式発電駆動システムであって、前記コントローラは、前記発電部が接続される発電部接続端子から前記電池が接続される電池接続端子に至る充電電流経路と、前記電池接続端子から前記駆動部が接続される駆動部接続端子に至る駆動電流経路と、前記充電電流経路及び／又は前記駆動電流経路に介在するスイッチと、前記スイッチのＯＮ／ＯＦＦを制御するスイッチ制御回路と、前記発電部接続端子、前記電池接続端子及び／又は前記駆動部接続端子における誤接続・ショートの発生時に、前記スイッチに流れる電流を制限する電流制限回路と、前記誤接続・ショートに伴う前記スイッチ下流の電圧低下を検出する電圧低下検出回路とを備え、該電圧低下検出回路は、電圧低下検出に応じて前記スイッチ及び前記電流制限回路をＯＦＦにすることを特徴とする。
また、前記コントローラは、前記充電電流経路に介在する第１スイッチと、前記駆動電流経路に介在する第２スイッチと、前記電池の電圧上昇に応じて前記第１スイッチをＯＦＦにすることにより前記電池の過充電を防止する第１スイッチ制御回路と、前記電池の電圧低下に応じて前記第２スイッチをＯＦＦにすることにより前記電池の過放電を防止する第２スイッチ制御回路と、前記発電部接続端子及び／又は前記電池接続端子における誤接続・ショートの発生時に、前記第１スイッチに流れる電流を制限する第１電流制限回路と、前記駆動部接続端子における誤接続・ショートの発生時に、前記第２スイッチに流れる電流を制限する第２電流制限回路と、前記誤接続・ショートに伴う前記第１スイッチ下流の電圧低下を検出する第１電圧低下検出回路と、前記誤接続・ショートに伴う前記第２スイッチ下流の電圧低下を検出する第２電圧低下検出回路とを備え、前記第１電圧低下検出回路は、電圧低下検出に応じて前記第１スイッチ及び前記第１電流制限回路をＯＦＦにし、前記第２電圧低下検出回路は、電圧低下検出に応じて前記第２スイッチ及び前記第２電流制限回路をＯＦＦにすることを特徴とする。
また、前記電圧低下検出回路は、電圧低下検出に応じて前記誤接続・ショートを報知する報知手段を備えることを特徴とする。
【発明の効果】
【００１５】
請求項１の発明によれば、コントローラは、スイッチに流れる電流を制限する電流制限回路を備えるので、コントローラの配線接続において誤接続やショートが発生した場合、スイッチに流れる電流を制限し、スイッチの破損や劣化を防止することができる。しかも、誤接続やショートに伴うスイッチ下流の電圧低下を検出し、スイッチ及び電流制限回路をＯＦＦにする電圧低下検出回路を備えるので、誤接続やショートの状況下における電流制限回路の長時間動作により、電流制限回路の回路素子が破損することも防止できる。したがって、誤接続やショートの状況から復帰する際には、原因である逆接続やショートを改めれば、何ら部品交換を行うことなく正常状態に復帰することが可能になる。
また、請求項２の発明によれば、コントローラの第１スイッチ及び第２スイッチで同様の効果が得られる。
また、請求項３の発明によれば、誤接続やショートを速やかに改めることができる。
【図面の簡単な説明】
【００１６】
【図１】本発明の実施形態に係る充電式発電駆動システムのコントローラを示すブロック回路図である。
【図２】本発明の実施形態に係る充電式発電駆動システムのコントローラを示す図であり、電流制限回路及び電圧低下検出回路を回路図に展開させたブロック回路図である。
【図３】電流制限回路の原型を示す回路図である。
【図４】電流制限回路の原型に電圧低下検出回路と電流制限回路のＯＦＦ回路を付加した回路図である。
【図５】充電式発電駆動システムの接続図である。
【図６】参考例に係る充電式発電駆動システムのコントローラを示すブロック回路図である。
【発明を実施するための形態】
【００１７】
以下、本発明の実施の形態について、図面に基づいて説明する。図１において、１はソーラー照明システム（充電式発電駆動システム）であって、該ソーラー照明システム１は、基本的な構成として、光エネルギーを電気エネルギーに変換する発電部としてのソーラーパネル２と、ソーラーパネル２の発電で充電される充電式の電池３と、電池３を電源として駆動される駆動部としてのＬＥＤ照明器具４と、ソーラーパネル２、電池３及びＬＥＤ照明器具４が接続されるコントローラ５とを備える。
【００１８】
コントローラ５は、ソーラーパネル２が接続される発電部接続端子Ｔ１、Ｔ２から電池３が接続される電池接続端子Ｔ３、Ｔ４に至る充電電流経路６と、電池接続端子Ｔ３、Ｔ４からＬＥＤ照明器具４が接続される駆動部接続端子Ｔ５、Ｔ６に至る駆動電流経路７と、充電電流経路６に介在する第１スイッチＰＦＥＴ１と、駆動電流経路７に介在する第２スイッチＰＦＥＴ２と、電池３の電圧上昇に応じて第１スイッチＰＦＥＴ１をＯＦＦにすることにより電池３の過充電を防止する第１スイッチ制御回路８と、電池３の電圧低下に応じて第２スイッチＰＦＥＴ２をＯＦＦにすることにより電池３の過放電を防止する第２スイッチ制御回路９と、ソーラーパネル２の発電電圧を検出するソーラー電圧検出部１０と、これらを制御する全体制御部１１と、定電圧源である３端子電源１２とを備える。
【００１９】
なお、図１において、ダイオードＤ１、Ｄ２は、ソーラーパネル２の逆極性接続時の保護用であり、電圧降下の小さいショットキーダイオードが使用される。また、ダイオードＤ３は、電池３の逆極性接続時に、３端子電源１２、スイッチ制御回路８、９及び全体制御部１１の破損を保護する。
【００２０】
スイッチＰＦＥＴ１、ＰＦＥＴ２は、Ｐ型ＦＥＴであり、Ｓ（ソース）電位に対してＧ（ゲート）電位が低いと、Ｓ−Ｄ（ドレイン）間がＯＮ、等しいとＳ−Ｄ間がＯＦＦになる。
【００２１】
第１及び第２スイッチ制御回路８、９は、出力レベルが高レベル（＋５Ｖ）であれば、トランジスタＴＲ１、２がＯＮとなり、スイッチＰＦＥＴ１、２をそれぞれＯＮにする。また、出力が低レベル（０Ｖ）であれば、トランジスタＴＲ１、２がＯＦＦとなり、スイッチＰＦＥＴ１、２のＳ−Ｇ間が抵抗Ｒ１又はＲ４で同位となり、スイッチＰＦＥＴ１、２をそれぞれＯＦＦにする。
【００２２】
３端子電源１２は、例えば＋５Ｖを出力し、これが第１及第２スイッチ制御回路８、９や全体制御部１１に供給される。全体制御部１１は、例えば１チップマイコンを用いて構成されており、ソーラー電圧検出部１０からの信号で日没時点を判断したり、ＬＥＤ照明器具４の駆動時間を制御している。
【００２３】
このように構成されたコントローラ５は、図１に示す動作ａ〜ｆを実現する。すなわち、過充電（１４．７Ｖ）を検出し、第１スイッチＰＦＥＴ１をＯＦＦにする過充電防止動作ａ、過放電（１１．２Ｖ）を検出し、第２スイッチＰＦＥＴ２をＯＦＦにする過放電防止動作ｂ、ソーラー電圧測定時にスイッチＰＦＥＴ１をＯＦＦにするソーラー電圧測定準備動作ｃ、ソーラーパネル２の正常電圧を確認してから第２スイッチＰＦＥＴ２をＯＮにする初期放電防止動作ｄ（組み立てが終了するまで放電を行わない）、ソーラー電圧の例えば１／１０をマイコン（全体制御部１１）のＡ／Ｄコンバータで測るソーラー電圧測定動作ｅ、時間が来たらＬＥＤ照明器具４の点灯を止めたり、ＰＷＭ（パルス幅変調）制御でＬＥＤの明るさを変える駆動部制御動作ｆなどを行う。
【００２４】
つぎに、本発明の実施形態に係るソーラー照明システム１（コントローラ５）の特徴的な構成について、図１〜図４を参照して説明する。
【００２５】
図１に示すように、本発明の実施形態に係るソーラー照明システム１のコントローラ５は、発電部接続端子Ｔ１、Ｔ２や電池接続端子Ｔ３、Ｔ４における誤接続・ショートの発生時に、第１スイッチＰＦＥＴ１に流れる電流を制限する第１電流制限回路１３と、駆動部接続端子Ｔ５、Ｔ６における誤接続・ショートの発生時に、第２スイッチＰＦＥＴ２に流れる電流を制限する第２電流制限回路１４と、誤接続・ショートに伴う第１スイッチＰＦＥＴ１下流の電圧低下を検出するとともに、電圧低下検出に応じて第１スイッチＰＦＥＴ１及び第１電流制限回路１３をＯＦＦにする第１電圧低下検出回路１５と、誤接続・ショートに伴う第２スイッチＰＦＥＴ２下流の電圧低下を検出するとともに、電圧低下検出に応じて第２スイッチＰＦＥＴ２及び第２電流制限回路１４をＯＦＦにする第２電圧低下検出回路１６とを備える。
【００２６】
図３は、電流制限回路の原型を示す回路図である。
この図に示すＱ１はＰＮＰトランジスタ、Ｑ２はＮＰＮトランジスタ、Ｑ３はＰ型ＦＥＴからなるスイッチである。
スイッチＱ３のＳ−Ｄ間を流れる電流Ｉが３Ａ程度のときは、抵抗Ｒ１の両端電圧差が
３Ａ×０．１Ω＝０．３Ｖ
であり、これはトランジスタＱ１のＶＥＢとなるから、トランジスタＱ１はＯＦＦ状態である。このとき端子Ｃは高レベルでトランジスタＱ２をＯＮにし、スイッチＱ３のＧ端子をＶａ／３程度としてＱ３をＯＮにしている（端子Ａに印加されている電圧をＶａとする）。
スイッチＱ３のＳ−Ｄ間を流れる電流Ｉが増えて、５．８Ａになると、抵抗Ｒ１の両端電圧差は
ＶＥＢ＝５．８Ａ×０．１Ω＝０．５８Ｖ
となり、トランジスタＱ１のＥ−Ｃ間が導通を始めて、スイッチＱ３のＧ端子の電圧ＶＧは
Ｖａ／３≦ＶＧ≦Ｖａ
のどこかで落ち着く。端子Ｂでの負荷抵抗が小さくなって（最悪時のショート）も、電流Ｉは５．８Ａ以上流れず制限される。このとき、注意すべきはスイッチＱ３で消費される電力で、端子ＢがＧＮＤショートで、Ｖａ＝１２Ｖのときは
（１２Ｖ−５．８Ａ×０．１Ω）×５．８Ａ＝６６．２Ｗ
となり、放熱効率が良くないとスイッチＱ３が破損する。
【００２７】
図４は、電流制限回路の原型に電圧低下検出回路と電流制限回路のＯＦＦ回路を付加した回路図である。
今、Ｖａ＝＋１２Ｖで、スイッチＱ３のＳ−Ｄ間に３Ａが流れている正常状態とする。端子Ｂでの電圧は（スイッチＱ３のＳ−Ｄ間の抵抗は０Ωと仮定）
１２Ｖ−３Ａ×０．１Ω＝１１．７Ｖ
である。スイッチＱ３をＯＮとするために、端子Ｃは高レベル（＋５Ｖ）で、トランジスタＱ２はＯＮ、トランジスタＱ１はＯＦＦで、スイッチＱ３のＧの電圧は
１１．７Ｖ×１Ｋ／（２．２Ｋ＋１Ｋ）＝３．７Ｖ
である。Ｄ点の電圧は
０．７Ｖ＋３．９Ｋ×（５Ｖ−０．７Ｖ）／（１Ｋ＋３．９Ｋ）＝４．１Ｖ
なので、トランジスタＱ５はＯＮとなり、トランジスタＱ６もＯＮとなる。トランジスタＱ４はコレクタが４．１ＶなのでＯＦＦである。
【００２８】
以上の状態で端子ＢがＧＮＤ間ショートになったとすると、まず第１段階でトランジスタＱ１を中心とした電流制限回路が働き、電流Ｉは５．８Ａで制限され、スイッチＱ３のＧ端子電圧は
＋３．７Ｖ≦ＶＧ≦＋１１．７Ｖ
の範囲のどこかで落ち着く。
同時に、ダイオードＤ１がＯＮとなってトランジスタＱ４のエミッタが＋０．４Ｖ未満となるので、トランジスタＱ４はＯＮとなり、報知手段である発光ダイオードＤ４が点灯する（端子Ｂのショート報知）。また、Ｄ点が＋０．７Ｖ以下になるので、トランジスタＱ５はＯＦＦとなり、そのコレクタが＋１２Ｖに近くなってトランジスタＱ６がＯＦＦとなり、電流制限回路の負帰還ループをオープンにする。また、Ｄ点が＋０．７Ｖ以下なので、トランジスタＱ２はＯＦＦとなり、スイッチＱ３のＳ−Ｄ間は抵抗Ｒ２（２．２ｋΩ）を介して同電位となり、スイッチＱ３は完全ＯＦＦとなる。したがって、電流制限回路が働くのは、ほんの僅かな間である。また、端子ＢがＧＮＤショート（０Ｖ）でなく、逆接続で例えば−１２Ｖになったとしても、各回路の動作は全く同様であり、スイッチＱ３が即座にＯＦＦとなる。
【００２９】
叙述の如く構成された本実施形態によれば、所定のエネルギーを電気エネルギーに変換する発電部としてのソーラーパネル２と、ソーラーパネル２の発電で充電される充電式の電池３と、電池３を電源として駆動される駆動部としてのＬＥＤ照明器具４と、これらが接続されるコントローラ５とを備える充電式発電駆動システムとしてのソーラー照明システム１であって、コントローラ５は、ソーラーパネル２が接続される発電部接続端子Ｔ１、Ｔ２から電池３が接続される電池接続端子Ｔ３、Ｔ４に至る充電電流経路６と、電池接続端子Ｔ３、Ｔ４からＬＥＤ照明器具４が接続される駆動部接続端子Ｔ５、Ｔ６に至る駆動電流経路７と、充電電流経路６に介在する第１スイッチＰＦＥＴ１と、駆動電流経路７に介在する第２スイッチＰＦＥＴ２と、電池３の電圧上昇に応じて第１スイッチＰＦＥＴ１をＯＦＦにすることにより電池３の過充電を防止する第１スイッチ制御回路８と、電池３の電圧低下に応じて第２スイッチＰＦＥＴ２をＯＦＦにすることにより電池３の過放電を防止する第２スイッチ制御回路９と、発電部接続端子Ｔ１、Ｔ２や電池接続端子Ｔ３、Ｔ４における誤接続・ショートの発生時に、第１スイッチＰＦＥＴ１に流れる電流を制限する第１電流制限回路１３と、駆動部接続端子Ｔ５、Ｔ６における誤接続・ショートの発生時に、第２スイッチＰＦＥＴ２に流れる電流を制限する第２電流制限回路１４と、誤接続・ショートに伴う第１スイッチＰＦＥＴ１下流の電圧低下を検出するとともに、電圧低下検出に応じて第１スイッチＰＦＥＴ１及び第１電流制限回路１３をＯＦＦにする第１電圧低下検出回路１５と、誤接続・ショートに伴う第２スイッチＰＦＥＴ２下流の電圧低下を検出するとともに、電圧低下検出に応じて第２スイッチＰＦＥＴ２及び第２電流制限回路１４をＯＦＦにする第２電圧低下検出回路１６とを備えるので、コントローラ５の配線接続において誤接続やショートが発生した場合、スイッチＰＦＥＴ１、ＰＦＥＴ２に流れる電流を制限し、スイッチＰＦＥＴ１、ＰＦＥＴ２の破損や劣化を防止することができる。
【００３０】
しかも、誤接続やショートに伴うスイッチＰＦＥＴ１、ＰＦＥＴ２下流の電圧低下を検出し、スイッチＰＦＥＴ１、ＰＦＥＴ２及び電流制限回路１３、１４をＯＦＦにする電圧低下検出回路１５、１６を備えるので、誤接続やショートの状況下における電流制限回路１３、１４の長時間動作により、電流制限回路１３、１４及び／又はスイッチＰＦＥＴ１、ＰＦＥＴ２の回路素子が破損することも防止できる。したがって、誤接続やショートの状況から復帰する際には、原因である逆接続やショートを改めれば、何ら部品交換を行うことなく正常状態に復帰することが可能になる。
【００３１】
また、電圧低下検出回路１５、１６は、電圧低下検出に応じて誤接続・ショートを報知する発光ダイオードＤ４を備えるので、誤接続やショートを速やかに改めることができる。
【００３２】
なお、本発明は、前記実施形態に限定されないことは勿論であって、特許請求の範囲内において様々な変更が可能であることは言うまでもない。
例えば、前記実施形態では、発電部として太陽電池を用いているが、所定のエネルギーを電気エネルギーに変換するものであれば、任意の発電機（例えば、風力発電機）を用いることができる。
また、前記実施形態では、駆動部としてＬＥＤ照明器具を用いているが、電池を電源として駆動するものであれば、任意の駆動装置（例えば、電動モータ）を用いることができる。
【符号の説明】
【００３３】
１  ソーラー照明システム
２  ソーラーパネル
３  電池
４  ＬＥＤ照明器具
５  コントローラ
６  充電電流経路
７  駆動電流経路
８  第１スイッチ制御回路
９  第２スイッチ制御回路
１０  ソーラー電圧検出部
１１  全体制御部
１２  ３端子電源
１３  第１電流制限回路
１４  第２電流制限回路
１５  第１電圧低下検出回路
１６  第２電圧低下検出回路
ＰＦＥＴ１  第１スイッチ
ＰＦＥＴ２  第２スイッチ
【図１】
2016085555.tif 000003
【図２】
2016085555.tif 000004
【図３】
2016085555.tif 000005
【図４】
2016085555.tif 000006
【図５】
2016085555.tif 000007
【図６】
2016085555.tif 000008